(57)【要約】【課題】逆洗時に傾斜板よりも上方に巻き上げられた濾材が濾層へ戻り易い濾過装置を提供する。【解決手段】濾過工程にあっては、原水供給管２３を介して主管２０の下端へ原水を供給する。主管２０を上昇した原水はトラフ１９の内部に入り、トラフ１９の両側から塔内に溢出し、流路２４を経て濾層１２中を通過して濾過され、給排管１６及びそれに接続された処理水取出管２８を介して流出する。空気逆洗工程及び気水併用逆洗工程において、気泡の大部分は空気抜き配管３３，３５を流れる。そのため、傾斜板２２の上面を伝わってきた濾材は給排水流路２４を通って下方へ落下する。【選択図】図２
2009125657.tif 000002
【特許請求の範囲】
【請求項１】
濾過塔内に充填した濾層に原水を下向流で通水して濾過処理すると共に、気体及び洗浄水を濾層に上向流で通水し、濾層を展開して洗浄する濾過装置であって、
該濾層の上側に傾斜板が、該傾斜板の下端と塔内壁面との間に流路をあけて設けられ、
該傾斜板の上側に、洗浄排水を溢出させるためのトラフが設けられている濾過装置において、
該傾斜板又はトラフの下側から気体を排出するための気体排出部を、塔壁面、トラフ及び傾斜板の少なくとも１つを貫通させて設けたことを特徴とする濾過装置。
【請求項２】
請求項１において、前記傾斜板の上側かつ該流路と該トラフとの間に、該傾斜板から離隔して第１バッフル及び第２バッフルが設けられており、
該第１バッフルは第２バッフルと前記流路との間に位置しており、
第１バッフルの上端は洗浄時にトラフが規制する塔内の水面より下に位置し、第２バッフルの上端は洗浄時にトラフの上面が規制する塔内の水面より上に突出しているか、または、該水面と同じレベルに位置していることを特徴とする濾過装置。
【請求項３】
請求項１又は２において、前記トラフは、塔の中央部を横断方向に延設されており、
前記傾斜板として、該トラフに連なり、トラフから離反する一方向へ下り勾配にて延在する第１傾斜板と、該トラフに連なり、他方向へ下り勾配にて延在する第２傾斜板とが設けられていることを特徴とする濾過装置。
【請求項４】
請求項１又は２において、前記トラフは塔上部の塔内壁面の一部に沿って延在しており、
前記傾斜板は、該トラフに連なり、トラフとは反対側の塔内壁面へ向って下り勾配にて延在していることを特徴とする濾過装置。
【請求項５】
請求項１において、前記トラフは塔上部の塔内壁面に沿って延在しており、
前記傾斜板は、塔中央部から放射方向へ下り勾配にて延在しており、
前記気体排出部は、該傾斜板の頂部から気体を排出するように設けられていることを特徴とする濾過装置。
【請求項６】
請求項１又は２において、前記トラフは、塔の中央部に設けられており、
前記傾斜板は、該トラフに連なり、トラフから放射方向へ下り勾配にて延在していることを特徴とする濾過装置。
【発明の詳細な説明】
【技術分野】
【０００１】
本発明は、濾過塔内に充填した濾層に原水を下向流で通水して濾過処理すると共に、空気及び洗浄水を濾層に上向流で流通させ、濾層を展開して洗浄する、下向流濾過、上向流洗浄方式の濾過装置に関する。
【背景技術】
【０００２】
下向流濾過、上向流洗浄（逆洗）を行う濾過装置として、空気を併用した逆洗の際に濾層を構成する濾材の一部が洗浄排水に混ざって塔外に排出されるのを防止するため、濾過塔内の濾層の上方空間の水中に、傾斜体と、この傾斜体の上方に立設され、上端部が水面と同じレベルに位置した垂直バッフル板とからなる固液分離装置を設け、逆洗によって傾斜体上に巻き上げられた濾材の一部が傾斜体の該上面を伝り、その下端と塔内壁面との間の流路から濾層上に落下して戻るようにした濾過装置が特開平８-３１８１０７に記載されている。
【特許文献１】特開平８-３１８１０７号公報
【発明の開示】
【発明が解決しようとする課題】
【０００３】
この固液分離装置によれば、逆洗の際に濾材の一部が洗浄排水に混ざって排出されるのを防止できるが、この特開平８-３１８１０７では、傾斜体の下面側が、前記流路へ向って上り勾配となっている。従って、逆洗時に該傾斜体の下面に当った空気が該傾斜体の縁から大量に前記流路に流れ込む。この結果、該流路を通過する上昇流速が大きくなり、過剰に膨張展開された濾材が傾斜体上に巻き上げられやすくなり、また、一旦巻き上げられてしまうと、傾斜体の上面を伝わり落ちてきた濾材が該流路から下方へ落下できず、傾斜体の上方空間の水中に滞留するか、または傾斜体の上面に溜まってしまうおそれがあった。
【０００４】
本発明は上記従来の問題点を解決し、逆洗時に傾斜板よりも上方に濾材が巻き上げられにくく、また、傾斜板よりも上方に巻き上げられても、巻き上げられた濾材が濾層へ戻り易い濾過装置を提供することを目的とする。
【課題を解決するための手段】
【０００５】
本発明（請求項１）の濾過装置は、濾過塔内に充填した濾層に原水を下向流で通水して濾過処理すると共に、気体及び洗浄水を濾層に上向流で通水し、濾層を展開して洗浄する濾過装置であって、該濾層の上側に傾斜板が、該傾斜板の下端と塔内壁面との間に流路をあけて設けられ、該傾斜板の上側に、洗浄排水を溢出させるためのトラフが設けられている濾過装置において、該傾斜板又はトラフの下側から気体を排出するための気体排出部を、塔壁面、トラフ及び傾斜板の少なくとも１つを貫通させて設けたことを特徴とするものである。
【０００６】
請求項２の濾過装置は、前記傾斜板の上側かつ該流路と該トラフとの間に、該傾斜板から離隔して第１バッフル及び第２バッフルが設けられており、該第１バッフルは第２バッフルと前記流路との間に位置しており、第１バッフルの上端は洗浄時にトラフが規制する塔内の水面より下に位置し、第２バッフルの上端は洗浄時にトラフの上面が規制する塔内の水面より上に突出しているか、または、該水面と同じレベルに位置していることを特徴とするものである。
【０００７】
請求項３の濾過装置は、請求項１又は２において、前記トラフは、塔の中央部を横断方向に延設されており、前記傾斜板として、該トラフに連なり、トラフから離反する一方向へ下り勾配にて延在する第１傾斜板と、該トラフに連なり、他方向へ下り勾配にて延在する第２傾斜板とが設けられていることを特徴とするものである。
【０００８】
請求項４の濾過装置は、請求項１又は２において、前記トラフは塔上部の塔内壁面の一部に沿って延在しており、前記傾斜板は、該トラフに連なり、トラフとは反対側の塔内壁面へ向って下り勾配にて延在していることを特徴とするものである。
【０００９】
請求項５の濾過装置は、請求項１において、前記トラフは塔上部の塔内壁面に沿って延在しており、前記傾斜板は、塔中央部から放射方向へ下り勾配にて延在しており、前記気体排出部は、該傾斜板の頂部から気体を排出するように設けられていることを特徴とするものである。
【００１０】
請求項６の濾過装置は、請求項１又は２において、前記トラフは、塔の中央部に設けられており、前記傾斜板は、該トラフに連なり、トラフから放射方向へ下り勾配にて延在していることを特徴とするものである。
【発明の効果】
【００１１】
本発明の濾過装置にあっては、傾斜板又はトラフの下側から気体を排出する気体排出部が設けられているので、逆洗時に傾斜板の下面に当った空気が該気体排出部を通って排出される。この結果、傾斜板下端と塔内壁面との間の流路に流れ込む空気量が著しく少なくなり、逆洗時における該流路の上昇流速が小さくなる。このため、傾斜板よりも上方に濾材が巻き上げられにくく、傾斜板上面を伝わって落ちてきた濾材が該傾斜板末端からスムーズに下方へ落下する。この結果、傾斜板の上方空間の水中での濾材の滞留および傾斜板上面での濾材の堆積が減り、洗浄時の濾材の流出量を減少させることができる。
【発明を実施するための最良の形態】
【００１２】
以下、図面を参照して実施の形態について説明する。
【００１３】
［第１の実施の形態］
第１図は第１の実施の形態に係る濾過装置の縦断面図、第２図は第１図のII−II線断面図、第３図は第２図のIII方向から見た濾過装置上部の斜視図、第４，５図は第３図のIV−IV線、Ｖ−Ｖ線断面図である。なお、第３図では塔体を透視状態としている。また、第３図では、図面を明瞭とするために第１及び第２バッフルと空気返し板５０の図示を省略し、第４図では、第１及び第２バッフルの図示を省略している。
【００１４】
筒状の濾過塔１０内の下部に透水性の通水支持板１１が水平に設置されている。この通水支持板１１上に、砂利１３よりなる支持層が設けられている。その上に、砂の濾材層１４及びアンスラサイトの濾材層１５を重ねてなる濾層１２が設けられている。塔１０の底部には、処理水の流出管と逆洗用の洗浄水の導入管を兼ねた給排管１６が接続されている。支持板１１の下側には逆洗用空気の送気管１７が設置されている。
給排管１６には、処理水の取出用の配管２８と洗浄水供給用の配管２９とが接続されている。これらの配管２８，２９にはそれぞれ開閉弁が設けられている。また、配管２９には逆洗水の送水用のポンプＰが設けられている。
【００１５】
濾過塔内の濾層１２の上方にトラフ１９が設けられている。このトラフ１９は、上面が開放した長函状容器よりなり、円筒状の濾過塔１０の中央部に直径方向に延設されている。このトラフ１９には、原水の供給と、洗浄排水の排出を兼ねた主管２０が接続されている。この主管２０は、濾過塔１０の中央部を上下方向に延在している。この主管２０の下部には、原水供給管２３と逆洗排水の排出管２１とが接続されている。
【００１６】
濾過工程時に原水供給管２３から主管２０を経てトラフ１９内に供給された原水は、トラフ１９の上縁をオーバーフローして該トラフ１９から流出する。また、逆洗工程時に濾層１２中を上向流にて流れた洗浄排水はトラフ１９の上縁をオーバーフローしてトラフ１９内に流入し、次いで主管２０及び排出管２１を経て塔外に排出される。後述の空気抜き配管３３，３５に設けられた開閉弁３４，３６を閉じて、原水送水用ポンプ（図示略）により圧力をかけて濾過を行う圧力式濾過の濾過工程においては、濾過塔１０内の水面Ｗはトラフ１９の上縁よりも高いレベルまで上がる。開閉弁３４，３６を開放するかまたは大気圧下にて重力により濾過を行う重力式濾過の濾過工程においては、濾過塔１０内の水面Ｗはトラフ１９に規制されてその上縁と同じレベルである。洗浄工程においては、開閉弁３４，３６は開放され、濾過塔１０内の水面Ｗは、トラフ１９に規制されてその上縁と同じレベルとなる。
【００１７】
上記トラフ１９の下の水面下に位置して傾斜板２２が設けられている。この傾斜板２２は、トラフ１９から両方向に離反するように、かつトラフ１９から離れるほど下位となるように傾斜している。この傾斜板２２の傾斜方向は、トラフ１９の長手方向と直交方向である。
【００１８】
この傾斜板２２の傾斜方向の下端と塔内壁面との間には上下方向に開放した流路２４が形成されている。トラフ１９から溢出して下向きに流れる原水は、該流路２４を通過して濾層１２の上面に達し、濾層１２中を下向流にて流れて濾過される。また、濾層１２中を上向流にて流れた洗浄排水は、流路２４を上昇して水面Ｗに達し、トラフ１９に溢入する。
【００１９】
空気を併用して逆洗を行う場合に、空気が傾斜板２２及びトラフ１９の下側に溜るのを防ぐため、気体排出部として空気抜き配管３３，３５が設けられている。空気抜き配管３３は、トラフ１９の底部を貫通して上方に延設されている。空気抜き配管３５は塔１０の塔壁面のうちトラフ１９の両端直下を貫通している。空気抜き配管３３は塔１０の頂部を貫通している。各空気抜き配管３３，３５にそれぞれ開閉弁３４，３６が設けられている。なお、空気抜き配管３３，３５の一方のみを設けてもよい。また、配管３５も１本だけ設けられてもよい。
【００２０】
傾斜板２２の上側の水中には、流路２４の近くに第１バッフル２６が設けられると共に、この第１バッフル２６とトラフ１９との間に第２バッフル２７が設けられている。これらのバッフル２６，２７は、板面を略鉛直とした、トラフ１９と平行方向に延在する平板よりなる。両バッフル２６，２７の下端は傾斜板２２の上面から上に少し離れている。第１バッフル２６の上端は水面下にあり、第２バッフル２７の上端は洗浄工程時の水面Ｗと同レベルか又はそれよりも高いレベルに位置する。
流路２４の下方には、塔内壁面から空気返し板５０が突設されている。この空気返し板５０として、流路２４よりも若干大きい水平投影面積を有しているものを用いると、流路２４に気泡が流れ込むことが十分に防止される。空気返し板５０は、塔内壁面から塔中央へ向って下り勾配にて設けられている。
【００２１】
このように構成された濾過装置の作動を次に説明する。
【００２２】
［濾過工程］
濾過工程にあっては、原水供給管２３を介して主管２０の下端へ原水を供給する。重力式濾過の場合は開閉弁３４，３６を開とし、圧力式濾過の場合は開閉弁３４，３６を閉とする。
主管２０を上昇した原水はトラフ１９の内部に入り、トラフ１９の両側から塔内に溢出し、流路２４を経て濾層１２中を通過して濾過され、給排管１６及びそれに接続された処理水取出管２８を介して流出する。
【００２３】
［逆洗工程］
逆洗工程は、通常は、（１）空気のみで濾層をほぐす空気逆洗工程、（２）空気と洗浄水を併用して濾層を展開させ、濾材に付着したＳＳを剥離する気水併用逆洗工程、（３）流速を上げて洗浄水のみで濾材に付着したＳＳを剥離すると共に、剥離したＳＳを排出する水逆洗工程とからなる。
【００２４】
（１）空気逆洗工程
（１）の空気逆洗工程を行うには、開閉弁３４，３６を開とし、送気管１７にコンプレッサからの圧縮空気を供給し、気泡で濾層１２をほぐし、濾材に付着したＳＳを濾材から剥離すると共に、剥離したＳＳを濾層の上部に押し上げる。濾層１２を通過した気泡は、主として、傾斜板２２の下面を伝わって上昇し、空気抜き配管３３，３５から外に放出される。
【００２５】
（２）気水併用逆洗工程
この空気逆洗工程の後、空気の供給を続けたままで、洗浄水の供給用配管２９に接続した逆洗ポンプＰを運転し、空気と洗浄水を濾層１２中に供給し、濾材に付着したＳＳを剥離すると共に剥離したＳＳを洗浄排水と一緒に流路２４を上昇させてトラフ１９に溢入させ、主管２０及び排出管２１を介して排出する。
【００２６】
この場合、流路２４を上昇した洗浄排水は、上端が水面下にある第１バッフル２６の上を通りトラフ１９に向かって流れるが、上端が洗浄工程での水面と同レベルかまたはそれよりも高い位置にある第２バッフル２７にぶつかる。したがって、流れａは第１バッフル２６と第２バッフル２７との間を下降する。そして、傾斜板２２に沿い、第２バッフル２７の下を潜ってトラフ１９に向かう流れｂと、第１バッフル２６の下を潜って流路２４に向かう流れｃとに別れる。ＳＳは流れｂに乗ってトラフ１９に溢入し、主管２０を経て排出管２１から排出される。
【００２７】
また、流路２４から傾斜板２２の上に巻き上げられた濾材は、第１バッフル２６と第２バッフル２７との間で下降する間に重力で傾斜板２２上に落ち、流れｃに乗り、傾斜板２２の上を転がって流路２４に達し、そこから濾層１２に落下する。洗浄水と併用された空気の大部分は、空気抜き配管３３，３５から外に放出される。
【００２８】
（３）水逆洗工程
この水逆洗工程では、送気管１７への空気供給を停止し、洗浄水のみを配管２９、給排管１６を介して供給し、濾層１２を展開させ、濾材に付着したＳＳを剥離すると共に、剥離したＳＳをトラフ１９に排出する。この（３）の工程では、比重が異なる濾材層１３，１４の各濾材が分級され、第１図の通り、砂濾材層１４及びアンスラサイト濾材層１５が形成される。
【００２９】
なお、逆洗は１日に１〜２回程度で十分である。
【００３０】
図示の実施の形態では、濾層１２に比重が大小に異なる複数の濾材層を積層した多層濾層を使用したが、これに限らず濾層は一種の濾材で構成したものでもよい。また、トラフ１９に原水を供給する主管２０は濾過塔の底を貫通し、塔内の中心に沿って立ち、上端部をトラフ１９の底を貫通した構成としたが、濾過塔の側壁を貫通してトラフに接続するものでもよい。また、主管２０は原水供給と、洗浄排水の排出を兼ねるものとしたが、トラフ１９に直に排出管２１を接続し、原水供給用の主管２０と、洗浄排水排出用の排出管２１とを別個としてもよい。
【００３１】
［第２の実施の形態］
第６図は第２の実施の形態に係る濾過装置の水平断面図、第７図は濾過塔を第６図のVII方向から見た斜視図、第８図は第７図のVIII−VIII線断面図である。
【００３２】
なお、第６図は第２図に相当する部分の断面を示している。第７図は第３図に相当する斜視図であり、塔体を透視状態としている。第７図では第１及び第２バッフルと空気返し板５０の図示を省略し、第８図では第１及び第２バッフルの図示を省略している。
【００３３】
この実施の形態では、空気抜き配管３３が傾斜板２２の上部を貫通して上方に延設されている。
【００３４】
第６図〜第８図の実施の形態のその他の構成は、第１図〜第５図の実施の形態と同一であり、同一符号は同一部分を示している。この第２の実施の形態においても第１の実施の形態と同様の作用効果が奏される。
【００３５】
［第３の実施の形態］
第９図は第３の実施の形態に係る濾過装置の上部の縦断面図、第１０図は第９図のＸ−Ｘ線断面斜視図である。なお、第１０図は塔体を透視状態としている。また、第１０図では、第１及び第２バッフルと空気返し板５０の図示を省略している。
【００３６】
この実施の形態では、トラフ１９Ａが塔内壁面の一部に沿って延在している。傾斜板２２Ａは、このトラフ１９Ａから反対側の塔内壁面に向って延在している。
【００３７】
傾斜板２２Ａの傾斜方向最上位部分がトラフ１９Ａに連結されている。傾斜板２２Ａの最下位部分は塔内壁面から離隔しており、この傾斜板２２Ａの最下位部分と塔内壁面との間が流路２４Ａとなっている。
【００３８】
この流路２４Ａの下方には、塔内壁面から空気返し板５０が突設されている。この空気返し板５０は、流路２４Ａよりも若干大きい水平投影面積を有しており、流路２４Ａに気泡が直に流れ込むことが、該空気返し板５０によって防止されている。
【００３９】
傾斜板２２Ａの上側には、第１バッフル２６Ａと第２バッフル２７Ａとが配置されている。これらのバッフル２６Ａ，２７Ａは、板面を略鉛直方向とした平板状のものであり、トラフ１９Ａと平行方向に延在している。バッフル２６Ａは、バッフル２７Ａよりも流路２４Ａの近くに位置している。バッフル２６，２７と傾斜板２２との関係と同様に、バッフル２６Ａ、２７Ａの下端は傾斜板２２Ａから離反している。バッフル２６，２７と同様に、バッフル２６Ａの上端は水面Ｗから若干下位に位置しており、バッフル２７Ａの上端は水面Ｗと同レベルかそれよりも上位となっている。この水面Ｗはトラフ１９Ａの溢流レベルである。
【００４０】
このトラフ１９Ａの底面を貫通して空気抜き配管３３が設けられている。空気抜き配管３５は、トラフ１９Ａの直下の塔壁面を貫通している。
【００４１】
この実施の形態は、このように、傾斜板２２Ａと流路２４Ａがそれぞれ１個だけ設けられている点を除き、第１の実施の形態と同様であり、濾過処理工程及び逆洗工程における水や空気の流れ、傾斜板２２Ａ、バッフル２６Ａ，２７Ａの機能はいずれも第１の実施の形態と同じである。従って、この実施の形態によっても前記各実施の形態と同様の作用効果が奏される。
【００４２】
［第４の実施の形態］
第１１図、第１２図に第４の実施の形態を示す。
上記第９、１０図の第３の実施の形態では、空気抜き配管３３がトラフ１９Ａの底面を貫通しているが、第４の実施の形態では傾斜板２２Ａの上部を貫通している。第４の実施の形態のその他の構成は第３の実施の形態と同一である。なお、第１１図は第９図に相当し、第１２図は第１０図に相当する。
【００４３】
［第５の実施の形態］
第１３図は第５の実施の形態に係る濾過装置の上部の縦断面図、第１４図は第１３図のXIV−XIV線に沿う断面斜視図である。この実施の形態では、濾過塔１０の内周を周回してトラフ６０が設けられている。塔１０を貫通して、トラフ６０への原水導入用及びトラフ６０からの逆洗排水排出用の配管６１が設けられている。
傾斜板７０は、頂点を濾過塔１０の中央部に配置させ、そこから放射方向に下り勾配とされた陣笠形状である。この傾斜板７０の外周端は塔１０の内壁面から離隔しており、塔１０の内壁面と傾斜板７０の外周端との間に流路２４が形成されている。この流路２４の下方に空気返し板５０が設けられている。
傾斜板７０の中央上端部に空気抜き配管３３が接続されている。この空気抜き配管３３は塔１０の頂部を貫通している。この空気抜き配管３３に開閉弁３４が設けられている。
【００４４】
［第６の実施の形態］
第１５図は第６の実施の形態に係る濾過装置の上部の縦断面図、第１６図は第１５図のXVI−XVI線に沿う断面斜視図、第１７図は第１６図の平面図である。
この実施の形態では、塔１０の上部中央にトラフ８０が設けられている。このトラフ８０は、上方が開放した有底円形の容器形状である。このトラフ８０の側面に原水導入用及び逆洗排水排出用の配管８１が接続されている。
傾斜板７０は、この塔壁面８０の底部外周に連なり、そこから放射方向へ下り勾配にて延在し、その外周端と塔内周面との間に流路２４が設けられている。この流路２４の下方に空気返し板５０が設けられている。
塔壁面８０の底面を貫通して空気抜き配管３３が上方に延設されている。この空気抜き配管３３は塔頂を貫通している。空気抜き配管３３に開閉弁３４が設けられている。
【００４５】
傾斜板７０の上側の水中には、流路２４の近くに第１バッフル２６Ｃが設けられると共に、この第１バッフル２６Ｃとトラフ８０との間に第２バッフル２７Ｃが設けられている。これらのバッフル２６Ｃ，２７Ｃは、板面を略鉛直とした、トラフ８０と同軸状に配置された円筒状である。両バッフル２６Ｃ，２７Ｃの下端は傾斜板７０の上面から上に少し離れている。第１バッフル２６Ｃの上端は水面下にあり、第２バッフル２７Ｃの上端は洗浄工程時の水面Ｗと同レベルか又はそれよりも高いレベルに位置する。
これらの第５，６の実施の形態においても洗浄時に空気は空気抜き配管３３から排出されるので、流路２４を上昇する空気が著しく少なく、濾材は速やかに傾斜板７０の外周端から落下する。
なお、第６の実施の形態によれば、バッフル２６Ｃ，２７Ｃによりバッフル２６，２７と同様に濾材粒子が効率よく流水から分離される。
【００４６】
上記実施の形態はいずれも本発明の一例であり、本発明は図示以外の形態をもとりうる。
【図面の簡単な説明】
【００４７】
【図１】第１の実施の形態に係る濾過装置の縦断面図である。
【図２】第１図のII−II線断面図である。
【図３】第２図のIII方向から見た濾過装置上部の透視斜視図である。
【図４】第３図のIV−IV線断面図である。
【図５】第３図のＶ−Ｖ線断面図である。
【図６】第２の実施の形態に係る濾過装置の水平断面図である。
【図７】第６図のVII方向から見た透視斜視図である。
【図８】第７図のVIII−VIII線断面図である。
【図９】第３の実施の形態に係る濾過装置の縦断面図である。
【図１０】第９図のＸ−Ｘ線に沿う断面斜視図である。
【図１１】第４の実施の形態に係る濾過装置の縦断面図である。
【図１２】第１１図のXII−XII線に沿う断面斜視図である。
【図１３】第５の実施の形態に係る濾過装置の断面図である。
【図１４】第１３図のXIV−XIV線に沿う断面斜視図である。
【図１５】第６の実施の形態に係る濾過装置の縦断面図である。
【図１６】第１５図のXVI−XVI線に沿う断面斜視図である。
【図１７】第１５図のXVI−XVI線に沿う断面図である。
【符号の説明】
【００４８】
１０  濾過塔
１９，１９Ａ，６０，８０  トラフ
２２，７０  傾斜板
２４  流路
３３，３５  空気抜き配管
３４，３６  開閉弁
５０  空気返し板
【図１】
2009125657.tif 000003
【図２】
2009125657.tif 000004
【図３】
2009125657.tif 000005
【図４】
2009125657.tif 000006
【図５】
2009125657.tif 000007
【図６】
2009125657.tif 000008
【図７】
2009125657.tif 000009
【図８】
2009125657.tif 000010
【図９】
2009125657.tif 000011
【図１０】
2009125657.tif 000012
【図１１】
2009125657.tif 000013
【図１２】
2009125657.tif 000014
【図１３】
2009125657.tif 000015
【図１４】
2009125657.tif 000016
【図１５】
2009125657.tif 000017
【図１６】
2009125657.tif 000018
【図１７】
2009125657.tif 000019